(57)【特許請求の範囲】
【請求項１】
戸枠内でスライドすることにより構造物の開口部を開閉する引戸に取り付けられた枠体と、この枠体内に一端がフリー状態で収容された弾性部材と、この弾性部材のフリー端部に取り付けられたスライド部材と、構造物に取り付けられ上記スライド部材に相対的に係脱する受け部材とを備え、上記引戸の一方向へのスライド時に初期位置にある上記スライド部材が受け部材に係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが再係合することにより上記弾性部材の付勢力が解放されてスライドアシスト力として引戸に付与されるスライドアシスト装置であって、
上記枠体は、上記引戸の戸幅よりも短く形成され、その一端部に、上記引戸が反対方向へスライドする時の引戸先端縁に一致させる基準部を備え、上記引戸の一側面上部に上記スライド部材の一部が上方に突出する態様で配設されるとともに、
上記受け部材は、上記戸枠の縦枠に当接する位置決め当接部を有する基体と、この基体に連設され上記位置決め当接部を上記縦枠に当接させた状態で上記初期位置にあるスライド部材に係合する受け突部と、この受け突部よりも上記位置決め当接部側に寄った基体部分に下側へ向けて突設され、上記枠体の上面を当接させることで該枠体の引戸に対する上下取付位置を決める上下位置決め突出部とを備え、上記戸枠の上枠に上記受け突部が下方に突出する態様で配設されていることを特徴とする引戸のスライドアシスト装置。
【請求項２】
上記上下位置決め突出部は、突出基部と、この突出基部に着脱自在に積層可能な一枚ないしは複数枚のプレート片とを有することを特徴とする請求項１に記載の引戸のスライドアシスト装置。
【請求項３】
戸枠内でスライドすることにより構造物の開口部を開閉する引戸に取り付けられた枠体と、この枠体内に一端がフリー状態で収容された弾性部材と、この弾性部材のフリー端部に取り付けられたスライド部材と、構造物に取り付けられ上記スライド部材に相対的に係脱する受け部材とを備え、上記引戸の一方向へのスライド時に初期位置にある上記スライド部材が受け部材に係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが再係合することにより上記弾性部材の付勢力が解放されてスライドアシスト力として引戸に付与されるスライドアシスト装置であって、
上記枠体は、その一端部に、上記引戸が反対方向へスライドする時の引戸先端縁に一致させる基準部を備え、上記引戸の一側面上部に上記スライド部材の一部が上方に突出する態様で配設されるとともに、
上記受け部材は、上記戸枠の縦枠に当接する位置決め当接部を有する基体と、この基体に連設され上記位置決め当接部を上記縦枠に当接させた状態で上記初期位置にあるスライド部材に係合する受け突部と、この受け突部よりも上記位置決め当接部側に寄った基体部分に下側へ向けて突設され、上記枠体の上面を当接させることで該枠体の引戸に対する上下取付位置を決める上下位置決め突出部とを備え、上記戸枠の上枠に上記受け突部が下方に突出する態様で配設されていることを特徴とする引戸のスライドアシスト装置。
【請求項４】
戸枠内でスライドすることにより構造物の開口部を開閉する引戸に取り付けられた枠体と、この枠体内に一端がフリー状態で収容された弾性部材と、この弾性部材のフリー端部に取り付けられたスライド部材と、構造物に取り付けられ上記引戸の移動範囲における所定の範囲で上記スライド部材に係脱する受け部材とを備え、上記引戸の一方向へのスライド時に初期位置にある上記スライド部材が受け部材に係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが再係合することにより上記弾性部材の付勢力が解放されてスライドアシスト力として引戸に付与されるスライドアシスト装置の取付方法であって、
上記戸枠の縦枠に当接する位置決め当接部を有する基体と、この基体に連設されスライド部材に係合する受け突部と、この受け突部よりも上記位置決め当接部側に寄った基体部分に突設された上下位置決め突出部とを備えた受け部材を、その位置決め当接部を上記戸枠の縦枠に当接して上記受け突部を下方に向けた状態で上記戸枠の上枠に取り付ける受け部材取付工程と、
この受け部材取付工程後に、上記スライド部材を上方に向けるとともに、上記受け部材の上下位置決め突出部に上面を当接させるとともに上記枠体の一端部を、上記引戸が上記反対方向へスライドするときの引戸先端縁に一致させた状態で、上記枠体を上記引戸に取り付ける枠体取付工程とを含むことを特徴とするスライドアシスト装置の取付方法。
【発明の詳細な説明】
【技術分野】
【０００１】
本発明は、構造物の開口部に設けられた戸枠の内側で左右方向にスライドさせて開閉を行うための引戸に対し、開閉方向の少なくともいずれか一方向のスライドアシスト力を付与する引戸のスライドアシスト装置およびその取付方法に関するものである。
【背景技術】
【０００２】
従来、特許文献１に記載されているようなスライドアシスト装置が知られている。このスライドアシスト装置は、引戸を対象として設けられ、一旦開放された当該引戸を閉じるときに、開放動作に伴って伸長状態とされた引きバネの付勢力で閉動作をアシストするように構成されている。
【０００３】
具体的には、このスライドアシスト装置は、引戸の上端側に付設された本体ボディと、この本体ボディ内に一端が取付けられた引きバネと、この引きバネの他端に取り付けられ、本体ボディよりも上方に突出するように設けられたスライド部材（キャッチ体）と、戸枠に下方へ向けて突出するように設けられ、本体ボディのスライド位置に応じて対面し、スライド部材に対して係合可能な受け部材（フック体）とを備え、引戸の開動作に伴い、このとき受け部材と上下に係合しているスライド部材がスライドして引きバネが延伸していき、開動作の途中時点でスライド部材が受け部材に対して係合解除されるとともに、引きバネが所定量延伸した引張り付勢状態でスライド部材が本体ボディに一時停止状態に保持され、引戸の閉動作に伴いスライド部材が受け部材に再係合してスライド部材の一時停止状態が解除され引きバネの引張り付勢力で引戸の閉方向のスライドをアシストするように構成されている。
【先行技術文献】
【特許文献】
【０００４】
【特許文献１】特開２００８−１５６８５１号公報
【発明の概要】
【発明が解決しようとする課題】
【０００５】
ところで、上記従来のスライドアシスト装置によれば、本体ボディを引戸に、受け部材を戸枠にそれぞれ取り付けて用いられる。そして、このスライドアシスト装置を、構造物の開口部に設けた戸枠と引戸に対して後付けする際には、本体ボディのスライド部材と受け部材とが係合するように、本体ボディと受け部材とを引戸の開閉方向において互いに位置合わせした状態に取付けることを要する。
【０００６】
しかしながら、上述のような位置関係で本体ボディと受け部材とを別部材に取付けることは容易ではないため、例えば予め用意した型紙を所望位置に貼付けておき、その型に一致するように取付けることも可能ではあるものの、煩わしいという難点があった。
【０００７】
本発明は、上記従来の問題点に鑑みてなされたものであり、簡易な後付けを担保しつつ、適正に引戸のスライドをアシストできるスライドアシスト装置およびその取付方法を提供することを目的としている。
【課題を解決するための手段】
【０００８】
上記課題を解決するために、この発明に係るスライドアシスト装置は、戸枠内でスライドすることにより構造物の開口部を開閉する引戸に取り付けられた枠体と、この枠体内に一端がフリー状態で収容された弾性部材と、この弾性部材のフリー端部に取り付けられたスライド部材と、構造物に取り付けられ上記スライド部材に相対的に係脱する受け部材とを備え、上記引戸の一方向へのスライド時に初期位置にある上記スライド部材が受け部材に係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが再係合することにより上記弾性部材の付勢力が解放されてスライドアシスト力として引戸に付与されるスライドアシスト装置であって、上記枠体は、上記引戸の戸幅よりも短く形成され、その一端部に、上記引戸が反対方向へスライドする時の引戸先端縁に一致させる基準部を備え、上記引戸の一側面上部に上記スライド部材の一部が上方に突出する態様で配設されるとともに、上記受け部材は、上記戸枠の縦枠に当接する位置決め当接部を有する基体と、この基体に連設され上記位置決め当接部を上記縦枠に当接させた状態で上記初期位置にあるスライド部材に係合する受け突部とを備え、上記戸枠の上枠に上記受け突部が下方に突出する態様で配設されていることを特徴とする。この発明による場合には、引戸が反対方向へスライドする時の引戸先端縁に基準部を一致させて枠体を取り付け、一方、基体の位置決め当接部を縦枠に当接させて基体を戸枠に取り付けることで、初期位置にあるスライド部材が受け突部に係合することとなる。よって、簡易な後付けを担保しつつ、適正に引戸のスライドをアシストできる。
【０００９】
また、上記枠体は上記引戸の一側面上部に上記スライド部材の一部が上方に突出する態様で配設されるとともに、上記受け部材は上記戸枠の上枠に上記受け突部が下方に突出する態様で配設されているようになされている。この構成によって、スライド部材の一部を上方に向けて枠体を引戸の一側面上部に取り付け、一方、受け突部を下方に向けて受け部材を戸枠の上枠に取り付けることで、初期位置にあるスライド部材が受け突部に係合することとなる。
【００１０】
さらに、上記受け部材は、その受け突部よりも上記位置決め当接部側に寄った基体部分に下側へ向けて突設され、上記枠体の上面を当接させることで該枠体の引戸に対する上下取付位置を決める上下位置決め突出部を更に備えるようにしている。このようにすると、受け部材の基体の下側に設けた上下位置決め突出部に枠体の上面を当接させることで、枠体の引戸に対する上下取付位置を決めることができるので、枠体の引戸に取り付ける際に、左右取付位置だけでなく上下取付位置についても受け部材に対して枠体を精度よく取り付けることが可能になる。従って、枠体に装備されるスライド部材と受け部材の受け突部との上下位置関係を適正にした状態で枠体を取付けることができる。
【００１１】
この構成において、上記上下位置決め突出部は、突出基部と、この突出基部に着脱自在に積層可能な一枚ないしは複数枚のプレート片とを有するようにしてもよい。このようにした場合には、プレート片の増減により受け突部とスライド部材との上下方向における係合状態を調整することができ、また、枠体の取付けにあたって、上下方向に多少ずれた場合でもプレート片の増減により、枠体と受け部材との不本意な干渉を回避することができる。
【００１２】
また、本発明は、戸枠内でスライドすることにより構造物の開口部を開閉する引戸に取り付けられた枠体と、この枠体内に一端がフリー状態で収容された弾性部材と、この弾性部材のフリー端部に取り付けられたスライド部材と、構造物に取り付けられ上記引戸の移動範囲における所定の範囲で上記スライド部材に係脱する受け部材とを備え、上記引戸の一方向へのスライド時に初期位置にある上記スライド部材が受け部材に係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが再係合することにより上記弾性部材の付勢力が解放されてスライドアシスト力として引戸に付与されるスライドアシスト装置の取付方法であって、上記戸枠の縦枠に当接する位置決め当接部を有する基体と、この基体に連設されスライド部材に係合する受け突部と、この受け突部よりも上記位置決め当接部側に寄った基体部分に突設された上下位置決め突出部とを備えた受け部材を、その位置決め当接部を上記戸枠の縦枠に当接して上記受け突部を下方に向けた状態で上記戸枠の上枠に取り付ける受け部材取付工程と、この受け部材取付工程後に、上記スライド部材を上方に向けるとともに、上記受け部材の上下位置決め突出部に上面を当接させるとともに上記枠体の一端部を、上記引戸が上記反対方向へスライドするときの引戸先端縁に一致させた状態で、上記枠体を上記引戸に取り付ける枠体取付工程とを含むことを特徴とする。この発明による場合には、位置決め当接部を戸枠の縦枠に当接しかつ受け突部を下方に向けた状態で、受け部材を戸枠の上枠に取り付けるので、受け部材の左右取付位置を簡単に位置決めすることができる。また、その後に、スライド部材を上方に向けるとともに、受け部材の上下位置決め突出部に上面を当接させた状態で、枠体を引戸に取り付けるので、受け部材に対して枠体を精度よく上下位置を決めて引戸に取り付けることが可能になり、枠体に装備されるスライド部材と受け部材の受け突部との上下位置関係を適正にした状態で枠体を取付けることができる。よって、このことによっても簡易な後付けを担保しつつ、適正に引戸のスライドをアシストできる。
【発明の効果】
【００１３】
本発明に係るスライドアシスト装置およびその取付方法によれば、簡易な後付けを担保しつつ、適正に引戸のスライドをアシストできる。
【図面の簡単な説明】
【００１４】
【図１】本発明に係るスライドアシスト装置を一部切り欠いた状態で示す斜視図である。
【図２】同装置の正面図である。
【図３】同装置の側面図である。
【図４】同装置のアシスト装置本体を初期位置で示す斜視図である。
【図５】同装置のアシスト装置本体を待機位置で示す斜視図である。
【図６】引戸の開放操作時における同装置の作用を説明するための概念図であり、（Ａ）は引戸閉止状態におけるスライド部材と受け突部との関係を示し、（Ｂ）はスライド部材が所定の保持位置において回動掛合片が解除姿勢に姿勢変更した状態を示している。
【図７】引戸の閉止操作時における同装置の作用を説明するための概念図であり、（Ａ）は、一旦開放された引戸を閉止操作することにより、引掛け部材の三角ブロックの上方右縁部が受け突部に干渉した状態、（Ｂ）は、舌片が回動孔から抜け出して解除姿勢から係合姿勢へ姿勢変化した状態をそれぞれ示している。
【図８】（ａ）は本発明に係るスライドアシスト装置の受け部材を示す斜視図であり、（ｂ）はその受け部材にプレート片を１枚積層した状態を示す斜視図である。
【図９】（ａ）及び（ｂ）は本発明のスライドアシスト装置における他のアシスト装置本体の例を示す正面図である。
【図１０】本発明のスライドアシスト装置における他の受け部材の例を示す正面図である。
【図１１】（ａ）及び（ｂ）は本発明のスライドアシスト装置における更に他の受け部材の例を示す正面図である。
【図１２】本発明のスライドアシスト装置における更に他のアシスト装置本体の例を示す斜視図である。
【発明を実施するための形態】
【００１５】
以下、本発明に係る一実施形態を図面に基づいて説明する。なお、本実施形態のスライドアシスト装置は、戸車付きの非吊下式の引戸に適用したものであるが、本発明のスライドアシスト装置は戸車なしの非吊下式引戸や、吊下式引戸等、その他の引戸にも適用することができる。また、本実施形態のスライドアシスト装置は、引戸に対し閉止方向についてスライドアシスト力を付与するものとなされているが、開放方向についてアシスト力を付与するものであってもよい。もちろん、開閉各方向についてスライドアシスト力を付与するスライドアシスト装置を引戸にともに設けるものであってもよい。
【００１６】
図１は本実施形態のスライドアシスト装置の全体を一部切り欠いた状態で示す斜視図であり、図２は同装置の正面図である。また、図３は同装置の側面図である。なお、以下、便宜上、各図における＋Ｘ方向を右方向、＋Ｙ方向を後方向、＋Ｚ方向を上方向として説明するが、これらの方向の表現については特に限定されるものではなく、単に本実施形態の装置内における相対的な位置関係を表したものである。
【００１７】
スライドアシスト装置１は、引戸Ｄの前面（正面）に取り付けられたアシスト装置本体３と、戸枠Ｆに取り付けられた受け部材５とを備える。
【００１８】
ここで、このスライドアシスト装置１が取り付けられる引戸Ｄの構造について簡単に説明する。引戸構造は、構造物の開口部Ｗを開閉する引戸Ｄと、この引戸Ｄの戸首Ｄ１が遊嵌される鴨居Ｆ１と、引戸Ｄの下端部が嵌め込まれる敷居Ｆ２と、左側の縦枠Ｆ３と、右側の縦枠Ｆ４とを含む戸枠Ｆとを備える。引戸Ｄは、戸本体Ｄ２と、戸本体Ｄ２の上部に設けられた戸首Ｄ１と、戸本体Ｄ２の下縁部に取り付けられた左右一対の戸車Ｄ３とを備える。一方、戸枠Ｆの鴨居Ｆ１および敷居Ｆ２のそれぞれには、引戸Ｄが嵌め込まれる案内溝Ｆ１Ａ，Ｆ２Ａを有し、この案内溝Ｆ１Ａ，Ｆ２Ａに沿って引戸Ｄが開閉される。これらの案内溝Ｆ１Ａ，Ｆ２Ａは、引戸Ｄの戸首Ｄ１や引戸Ｄの下端部の厚み寸法よりも若干大きく形成されており、引戸Ｄの厚み方向に対して遊びをもたせている。上記鴨居Ｆ１は戸枠Ｆの上枠を構成するものであり、敷居Ｆ２は戸枠Ｆの下枠を構成するものである。
【００１９】
スライドアシスト装置１に戻って、このスライドアシスト装置１は、アシスト装置本体３と受け部材５とが協働して付勢力を蓄積または開放可能に構成され、この開放された付勢力をスライドアシスト力として引戸Ｄに対して付与されるようになっている。
【００２０】
アシスト装置本体３は、図４および図５に示すように、引戸Ｄに取り付けられた枠体３１と、この枠体３１内に一端がフリー状態で収容される引きバネ３２（弾性部材に相当）と、枠体３１内に一端がフリー状態でかつ引きバネ３２と並列に収容されたダンパー部材３３と、この引きバネ３２およびダンパー部材３３のフリー端部に取り付けられたスライド部材３４とを備え、上記付勢力としての引きバネ３２の弾性力を蓄積または開放可能に構成された一般的なものである。従って、このアシスト装置本体３は、その具体的構成を特に限定するものではないが、以下に簡単に説明する。
【００２１】
図４および図５は、アシスト装置本体３を示す斜視図である。これらの図は、スライド部材３４が引戸Ｄの閉止位置に対応する初期位置にあるか、引戸Ｄの開放操作に伴ってスライド部材３４が所定の保持位置にあるかで異なる。
【００２２】
具体的には、アシスト装置本体（以下、単に「装置本体」という）３は、長手方向の各端部に第１および第２エッジブロック３１２，３１３が嵌め込まれた角筒状の枠体３１と、枠体３１内であって第２エッジブロック３１３に一端が固定された引きバネ３２と、枠体３１内でこの引きバネ３２と上下に並設されるとともに第２エッジブロック３１３に一端が固定されたダンパー部材３３と、この引きバネ３２およびダンパー部材３３の他端であるフリー端部に取り付けられ、枠体３１内をその長手方向に沿ってスライド可能なスライド部材３４とを備える。この装置本体３は、図２に示すように、引戸の上端部近傍の前面に、枠体３１の左端面３１ａが引戸Ｄの左側面と面一となる態様で取り付けられている。ここで、枠体３１の左端面３１ａは、基準部に相当する。
【００２３】
枠体３１は、図４および図５において二点鎖線で示され、左右方向（引戸Ｄのスライド方向）に細長い角筒状の枠本体３１１と、この枠本体３１１の長手方向一端部（左端部）に嵌め込まれる第１エッジブロック３１２と、枠本体３１１の長手方向他端部（右端部）に嵌め込まれる第２エッジブロック３１３とを備え、各エッジブロック３１２，３１３のねじ孔３１２ａ，３１３ａを通してねじ（不図示）が引戸Ｄにねじ込まれることにより、引戸Ｄの上端部近傍の前面に取り付けられている。
【００２４】
枠本体３１１には、その上面壁に左右方向に延びるガイドスリット３１１ａと、このガイドスリット３１１ａに連設され、ガイドスリット３１１ａに対して拡幅された角形の回動孔３１１ｂとが設けられている。ガイドスリット３１１ａは、枠本体３１１の上面壁の左右方向の中央部より若干左方位置を始点にして左方へ延設されている。このガイドスリット３１１ａの前後幅は、スライド部材３４の後述する回動掛合片３４２における舌片３４２ｃの前後幅よりも狭く設定され、スライド部材３４の回動掛合片３４２が回動できないように構成されている。
【００２５】
一方、回動孔３１１ｂは、ガイドスリット３１１ａの左端部に連設されている。この回動孔３１１ｂは、ガイドスリット３１１ａよりも拡幅して構成され、回動掛合片３４２の舌片３４２ｃよりも幅広に構成されている。従って、この回動孔３１１ｂは、スライド部材３４がこの回動孔３１１ｂに至った場合にスライド部材３４の回動掛合片３４２がこの回動孔３１１ｂを通して回動可能に構成されている。
【００２６】
引きバネ３２は、第２エッジブロック３１３とスライド部材３４との間に介設され、スライド部材３４に付勢力を付与するためのものである。具体的には、引きバネ３２の一端部は第２エッジブロック３１３の左端部に係止されることにより枠体３１に固定され、フリー端部である他端部がスライド部材３４の右端部に係止され、これにより引きバネ３２が各部材３１３，３４間に張設されている。
【００２７】
ダンパー部材３３は、直動式ダンパーであり、引きバネ３２の付勢力に対して緩衝効果を付与するものである。このダンパー部材３３は、第２エッジブロック３１３とスライド部材３４の間に架設され、引きバネ３２の後方において該引きバネ３２と並列に配置されている。また、ダンパー部材３３は、エアダンパー、油圧ダンパー等のいずれのダンパーであってもよいが、本実施形態ではエアダンパーが採用されている。更に、ダンパー部材３３は、不図示の一方弁が内蔵された一方向性のダンパーであり、縮む場合、すなわち引戸Ｄが閉止方向に移動する場合に緩衝効果を付与するように構成されている。なお、ダンパー部材について、ロータリーダンパーを採用するものであってもよい。この場合の具体的構造についてはラック機構を用いるなど既に公知であるので、具体的説明は省略する。
【００２８】
スライド部材３４は、引きバネ３２およびダンパー部材３３のフリー端部が係止されるスライドブロック３４１と、スライドブロック３４１に軸支され水平軸３４２ａ周りに回動する回動掛合片３４２とを備え、引戸Ｄの閉止位置に対応する初期位置（図４参照）と枠体３１の回動孔３１１ｂに対応する所定の保持位置（図５参照）との間を引戸Ｄの開閉操作に伴って枠体３１に対して相対的に移動するようになされている。
【００２９】
スライドブロック３４１は、左上方角部が切り欠かれた直方体状のブロック基体３４１ａと、このブロック基体３４１ａから上方に向かって突設された突出係合部３４１ｂとを備える。
【００３０】
ブロック基体３４１ａは、前後幅がガイドスリット３１１ａよりも大きく構成され、枠本体３１１内を摺動可能に構成されている。このブロック基体３４１ａの上記切欠き部に回動掛合片３４２が配置される。
【００３１】
また、突出係合部３４１ｂは、開放状態にある引戸Ｄの閉止操作時の移動速度が速い場合に受け部材５と係合し、ダンパー部材３３の緩衝効果によってその移動速度を減殺するものである。この突出係合部３４１ｂは、その前後幅がガイドスリット３１１ａよりも小さく構成され、スライドブロック３４１が枠本体３１１に内装された状態でガイドスリット３１１ａを通じて枠本体３１１から上方に突出するようになされている。
【００３２】
回動掛合片３４２は、引戸Ｄの開放動作に伴いスライド部材３４の初期位置から保持位置に至るまでの間、受け部材５（特に後述する受け突部５３）に係合し、スライド部材３４が保持位置に至ることによりこの回動孔３１１ｂを通じて枠体３１内に没入回動することにより受け部材５との係合状態が解除されるとともにスライド部材３４をその保持位置に停止保持するためのものである。また、回動掛合片３４２は、引戸Ｄの閉止動作に伴い受け部材５と再係合し、スライド部材３４の停止保持状態を解除するとともに受け部材５と協働して上記解除に伴い引きバネ３２の弾性力を引戸Ｄにスライドアシスト力として付与するように機能する。
【００３３】
この回動掛合片３４２は、正面視で左方に向かって先細りに形成された三角形状を呈する三角ブロック３４２ｂ（図６，７参照）と、この三角ブロック３４２ｂの上面左半分の部分に固定された正面視で左方へ向かって先細りの舌片３４２ｃとを備えている。三角ブロック３４２ｂは、ブロック基体３４１ａの上記切欠き部に配置され、水平軸３４２ａによってブロック基体３４１ａに軸支されている。
【００３４】
舌片３４２ｃは、受け部材５の受け突部５３に対して係脱する部材である。この舌片３４２ｃは、その前後幅がガイドスリット３１１ａの前後幅よりも大きく、かつ、回動孔３１１ｂの前後幅よりも小さく寸法設定されているとともに、左右寸法が回動孔３１１ｂの左右寸法よりも短く設定されている。この舌片３４２ｃの先端部（左端部）は回動掛合片３４２の後述する係合姿勢でガイドスリット３１１ａ内に突出する突出部分３４２ｄを有し、この突出部分３４２ｄが回動孔３１１ｂの端縁に係合することにより回動掛合片３４２に回動力を付与するようになされている。そして、舌片３４２ｃは、ガイドスリット３１１ａの範囲内にあるとき、図４に示すように、ガイドスリット３１１ａから上方に突出した状態にあり、この状態で受け突部５３に係合している。また、舌片３４２ｃは、回動掛合片３４２が回動孔３１１ｂに至ることにより、図５に示すように、回動孔３１１ｂを通じて水平軸３４２ａを中心に反時計方向に回動可能に構成され、この回動に伴い受け突部５３との係合状態が解除される。
【００３５】
次に、受け部材５について説明する。図８（ａ）はスライドアシスト装置の受け部材を示す斜視図である。
【００３６】
受け部材５は、鴨居（上枠）Ｆ１に設けられ、引戸Ｄの移動範囲の所定の範囲（開閉途中位置から閉止位置までの範囲）で引戸Ｄの前方においてスライド部材３４に係脱することにより、スライド部材３４に対し付勢力を蓄積または開放させるものである。
【００３７】
この受け部材５は、鴨居Ｆ１の下面に取り付けられる基体５１と、この基体５１の右側端部に下方に突設された受け突部５３と、基体５１の下面中央部に設けられた突出基部５２とを備え、全体として左右方向（引戸Ｄのスライド方向）に長尺であって、合成樹脂の一体成形品として構成されている。なお、本実施形態では、受け突部５３を右側端部に設けているが、左右を逆向きにすることで左右いずれの開き引戸Ｄにも対応可能で、かつ、引戸Ｄの閉止方向のスライドアシストだけでなく、引戸Ｄの開放方向のスライドアシストにも対応可能である。
【００３８】
基体５１は、左側端面に位置決め当接部５１ａが設けられている。この位置決め当接部５１ａは、戸枠Ｆの左側縦枠Ｆ３の内面に面接触して受け部材５の左右位置決めを行うものであり、基体５１の鴨居Ｆ１取付け面に対して垂直に設けられた平坦面として構成されている。このように構成された基体５１は、位置決め当接部５１ａを戸枠Ｆの左側縦枠Ｆ３の内面に当接させた状態で、図２に示すように、鴨居Ｆ１の下面であってその案内溝Ｆ１Ａの前方に該案内溝Ｆ１Ａに隣接して取り付けられている。上記位置決め当接部５１ａは、縦枠Ｆ３の内面と平行に配設される。
【００３９】
基体５１は、図２に示すように、左右方向に長尺の板状体であり、上記位置決め当接部５１ａから受け突部５３の内面側壁面までの距離を所定値Ｌ１に設定されている。この距離Ｌ１は、基準部（左端面）３１ａを引戸Ｄの左側面に揃えて取り付けられた枠体３１の左側端３１ａから、初期位置にあるスライド部材３４の回動掛合片３４２の右端までの距離Ｌ２に対し、ほぼ同一または少し長くしている。
【００４０】
この基体５１には、左右両端部に戸枠取付用の取付孔５１２が貫設されている。この取付孔５１２は、前後に細長く形成された長円形の孔である。このように取付孔５１２が長円孔として構成されているので、戸枠取付用のねじに対してその締付け前に基体５１を前後移動させることができ、これにより受け部材５の前後位置合わせを確実に行うことができる。
【００４１】
また、この基体５１の突出基部５２には、長手方向に沿って二つのプレート取着孔５１３が左右両側に貫設されている。このプレート取着孔５１３は、プレート片７を取り付けるための孔である。プレート片７は、図２に示すように、基体５１の突出基部５２に着脱自在に取り付けられるプレート片であり、プレート片７の上面には、上記プレート取着孔５１３に嵌着される取付ボス７１が突設されている。図８（ｂ）は、プレート片７を突出基部５２に取付けた状態を示す。なお、図示していないがプレート片７には、取付ボスが嵌着される二個一組の嵌入孔を有し、他のプレート片の取付ボス７１をこの嵌入孔に嵌着することにより積層し得るように構成されている。すなわち、このプレート片７は、１枚だけでなく、複数枚を積層し得るように構成されている。
【００４２】
受け突部５３は、引戸Ｄのスライドに伴い、スライド部材３４、特に回動掛合片３４２の舌片３４２ｃに係脱されるものである。受け突部５３の下方への突出量は、枠体３１に干渉することなくスライド部材３４と係脱可能であれば特に限定するものではないが、本実施形態ではスライド部材３４の枠体３１からの突出量に対して略同等ないしは若干小さく設定されている。なお、受け突部５３とスライド部材３４の舌片３４２ｃとの係合長さＬ３（図６（Ａ）参照）は、上述したプレート片７の積層枚数を調整することで、調節することができる。また、プレート片７の積層枚数を調整することにより、引戸Ｄの閉止時の跳ね上がりを防止することも可能になる。
【００４３】
以上のように構成されたスライドアシスト装置１は、例えば次のようにして戸枠Ｆの鴨居Ｆ１または引戸Ｄに取り付けられる。
【００４４】
まず、受け部材５を戸枠Ｆの鴨居Ｆ１の下面に取り付ける。
【００４５】
具体的には、受け部材５の長手方向の左側端面の位置決め当接部５１ａを戸枠Ｆの縦枠Ｆ３の内面に当接させた状態で（図２参照）、基体５１を鴨居Ｆ１の下面にあてがう。そして、この状態で図２に示すように、基体５１の取付孔５１２を通じてねじ（図示せず）で受け部材５を鴨居Ｆ１に取り付ける。
【００４６】
次に、この受け部材５の受け突部５３に引戸Ｄの前方において係脱し得る態様で装置本体３を引戸Ｄの前面上端部に取り付ける。
【００４７】
具体的には、左右方向について枠体３１の左側面である前記基準部３１ａが引戸Ｄの左側面Ｄ４（図１、図２参照）と略面一になる状態に装置本体３をセットするとともに、前記突出基部５２の下側に１または２以上のプレート片７を積層してなる上下位置決め突出部に対して枠体３１の上面を当接させ、その状態を保持して枠体３１のねじ孔３１２ａ，３１３ａを通して引戸Ｄにねじ（不図示）をねじ込むことにより、装置本体３を引戸Ｄの前面上端部に取り付ける。この取り付けの際に、上下位置決め突出部に枠体３１の上面を当接させて位置決めしているため、受け部材５に対して枠体３１を精度よく上下位置を決めて引戸Ｄに取り付けることが可能となる。従って、枠体３１に装備されるスライド部材３４と受け部材５の受け突部５３との上下位置関係を適正にした状態で枠体３１を引戸Ｄに取付けることができる。
【００４８】
また、枠体３１の左右方向での取り付け基準位置が引戸Ｄの左側面Ｄ４と枠体３１の基準部（左側面）３１ａとであるので、引戸Ｄを縦枠Ｆ３に当接させていなくても、前記上下位置決め突出部と枠体３１の上面とが対面（または重なる）状態となっておれば、引戸Ｄが縦枠Ｆ３から離れていても、スライド部材３４と受け突部５３とを係合させ得る。この場合、スライド部材３４を保持位置に停止保持させておけば、前記距離Ｌ１が距離Ｌ２に対してほぼ同一または少し長いので、縦枠Ｆ３から離れている引戸Ｄを閉じることで、スライド部材３４と受け突部５３とを係合させ得る。よって、取り付け作業中に、引戸Ｄが縦枠Ｆ３から少し離れた状態となっていても、取り付け後においてスライド部材３４と受け突部５３との係合が可能であるので、取り付け作業性の向上を図ることができる。一方、引戸Ｄを縦枠Ｆ３に当接させて枠体３１を取り付ければ、その取り付けと、スライド部材３４と受け突部５３との係合とが、同時的に行われるので、これによっても作業性の向上が図れる。また、枠体３１を引戸Ｄに取付ける際に、枠体３１が受け部材５に対して上下位置にずれを生じた場合には、そのずれ量に応じてプレート片７の積層数を増減させることで、枠体３１と受け部材５との上下位置関係を調整することができ、枠体３１と受け部材５との不本意な干渉を回避することが可能になる。
【００４９】
このように、このスライドアシスト装置１によれば、引戸Ｄを戸枠Ｆから取り外さなくても取り付けることができ、また戸首Ｄ１の除去等も必要とせず、戸枠Ｆの鴨居Ｆ１の下面に受け部材５を、引戸Ｄの前面に装置本体３を取り付けるだけでよく、従来のスライドアシスト装置１に比べて簡易に後付けすることができる。
【００５０】
以上のように取り付けられたスライドアシスト装置１の作用について、図６および図７を中心に説明する。図６は引戸Ｄを閉止された状態から開放する場合のスライドアシスト装置１の作用を説明するための平面視の一部断面図であり、図７は引戸Ｄを開放した状態から閉止する場合の同装置１の作用を説明するための平面視の一部断面図である。
【００５１】
まず、閉止状態にある引戸Ｄを開放する場合の機能について説明する。
【００５２】
スライド部材３４は、引戸Ｄの閉止状態において、図４に示すように、初期位置にあり、ガイドスリット３１１ａの右端部に位置している。この引戸の閉止状態において、図６（Ａ）に示すように、スライド部材３４の回動掛合片３４２は、その舌片３４２ｃがガイドスリット３１１ａを通じて枠体３１から前方に突出した係合姿勢に設定されている。この係合姿勢では、舌片３４２ｃの右端面が受け部材５の受け突部５３の左側面に係合した状態になっている。
【００５３】
そして、この閉止状態から引戸Ｄを右方へ移動させて開放していくと、この開放に伴い装置本体３も右方へ移動するが、舌片３４２ｃが受け突部５３に係合しているため、スライド部材３４の移動が妨げられる。このため、スライド部材３４は、ガイドスリット３１１ａに沿って枠体３１に対して相対的に左方に移動する。このスライド部材３４の移動に伴い引きバネ３２が伸長し、これによりスライド部材３４に引きバネ３２の引張り付勢力が蓄積される。
【００５４】
引戸Ｄを継続して開放していくと、引戸Ｄが所定の開閉途中位置に達し、このときスライド部材３４の舌片３４２ｃが回動孔３１１ｂに達する。この状態からさらに引戸Ｄが開放されると、舌片３４２ｃが受け突部５３によって左方へ向かって押圧され、舌片３４２ｃの先端突出部分３４２ｄが回動孔３１１ｂの左縁部に係合し、回動掛合片３４２が水平軸３４２ａを中心に反時計方向に回動する。これによって、図６（Ｂ）に示すように、回動掛合片３４２は、回動孔３１１ｂを通じて回動し、受け突部５３との係合状態が解除された解除姿勢へ姿勢変更する。
【００５５】
このとき、解除姿勢に姿勢変更された舌片３４２ｃは、引きバネ３２の引張り付勢力で右方へ引っ張られ、舌片３４２ｃの右端面が回動孔３１１ｂの右端縁に係止する（図５参照）。これによって、スライド部材３４は、回動孔３１１ｂに対応する保持位置に停止保持されるとともに、回動掛合片３４２の三角ブロック３４２ｂの上方右端部がガイドスリット３１１ａを通じて枠体３１の上方に突出した状態に配置される。
【００５６】
次に、開放状態にある引戸Ｄを閉止する場合の機能について説明する。
【００５７】
全開状態の引戸Ｄを左方へ移動させて閉めていくと、引戸Ｄは上記開閉途中位置に達する。このとき、図７（Ａ）に示すように、三角ブロック３４２ｂの上方右縁部が受け突部５３に干渉し、これによって回動掛合片３４２は、水平軸３４２ａを中心に時計方向に回動して、その舌片３４２ｃが、回動孔３１１ｂから抜け出し、当該舌片３４２ｃの右角部が回動孔３１１ｂの右縁部へ係止されていた状態が解消される。すなわち、回動掛合片３４２は、受け突部５３に対する解除姿勢から係合姿勢へと姿勢変更する（図７（Ｂ））。
【００５８】
そして、この姿勢変更に伴い引きバネ３２の引張り付勢力が開放されてスライド部材３４に作用し、スライド部材３４は、ダンパー部材３３によって一定の抵抗が付与されつつ、ガイドスリット３１１ａに沿って枠体３１に対して相対的に上記保持位置から初期位置に向かって移動する。このとき、スライド部材３４は受け部材５の受け突部５３に係合しているため、引きバネ３２の引張り付勢力はスライドアシスト力として引戸Ｄの閉止方向に作用する。
【００５９】
なお、引戸Ｄの閉止速度が速い場合には、受け部材５の受け突部５３は三角ブロック３４２ｂに干渉した後、スライドブロック３４１の突出係合部３４１ｂに衝突し、ダンパー部材３３による抵抗が付与されて減速される。
【００６０】
すなわち、このスライドアシスト装置１によれば、適正に引戸Ｄのスライドをアシストできる。
【００６１】
なお、以上に説明したスライドアシスト装置１は、本発明に係るアシスト装置の一実施形態であり、その具体的構成等は、本発明の趣旨を逸脱しない範囲で適宜変更可能である。以下、その変形例を説明する。
【００６２】
（１）上記実施形態では、スライドブロック３４１の突出係合部３４１ｂと、水平軸３４２ａを中心として回動する回動掛合片３４２とが、別部品として形成された構成としているが、本発明はこれに限らない。例えば、図９に示すように突出係合部３４１ｂを省略するとともに、回動掛合片３４２' の右側の三角ブロック３４２ｂ' の形状を、舌片３４２ｃの右端部との間で凹状部３４３を形成するように変形させ、前記凹状部３４３に受け突部５３を受け入れる構成としてもよい。より具体的には、図９（ａ）に矢印で示すように引戸Ｄを開けていくと、相対的に回動掛合片３４２' の全体が水平軸３４２ａを中心として図９（ｂ）に示すように反時計回りに回動して、受け突部５３との係合が解かれるとともに、三角ブロック３４２ｂ' が受け突部５３の移動域よりも高くなる状態を保持させる。そして、全開状態から閉動作に移行して白抜矢符方向に枠体３１が移動すると（図９（ｂ）参照）、三角ブロック３４２ｂ'に受け突部５３が衝突することにより回動掛合片３４２' が水平軸３４２ａを中心として時計回りに回動して元の姿勢に戻るとともに、凹状部３４３で受け突部５３を受け入れるように構成してもよい。
【００６３】
（２）また、上記実施形態では、受け部材５として受け突部５３を右側端部に設けた構成のものを用いているが、本発明はこれに限らない。例えば、図１０に示すように受け突部５３が左右一対で設けられた構成の受け部材５' を用いてもよい。なお、図１０においては、図８（ａ）と同一部分に同一符号を付している。
【００６４】
この構成とすることで、左右いずれの開き方向にも、また開閉いずれのスライドアシストにも対応可能な兼用品として用いられる。また、図１０に示す受け部材５' 例では、取付孔５１２の前側に壁５１４を形成し、これらの壁５１４により取付孔５１２やこれに取付けられるビス等を見え難くしている。また、受け部材５' の前面には、化粧片５１５などの貼着や、デザインや企業名などの刻設等を施してもよい。
【００６５】
（３）更に、上記実施形態では、図３に示すように前後幅が広い鴨居Ｆ１の下面に受け部材５を取り付けているが、本発明はこれに限らない。例えば、前後幅が狭い鴨居Ｆ１の下面に受け部材５を取り付けるに当たっては、そのまま取り付けることは困難であるので、Ｌ字金具を用い、その１面を鴨居Ｆ１の前面に、Ｌ字金具の他の１面を受け部材５の上面にそれぞれ取り付ける構成としてもよい。
【００６６】
（４）更にまた、上記実施形態では、受け部材における基体が、その左側端面に位置決め当接部を有するように構成されているが、本発明はこれに限らない。例えば、図１１（ａ）に示すように、受け部材５Ａにおける基体５１の左側端面から更に左側に突出した突出部５４の左側端面が位置決め当接部５１ａを構成するようにしてもよく、或いは、図１１（ｂ）に示すように、前記突出部５４の左側端面に板部材を取付け、その板部材の左側の表面が位置決め当接部５１ａを構成するようにしてもよい。
【００６７】
（５）更にまた、上記実施形態では、枠体３１の左端面３１ａが、引戸Ｄが閉方向へスライドするときの引戸先端縁に一致させる基準部として機能するように構成されているが、本発明はこれに限らない。例えば、図１２に示すように枠体３１の左端面３１ａの後側に左方向へ延出する延出片３１ｂを有するとともに、その延出片３１ｂの左端部から後側に向けて折れ曲がった折曲部３１ｃを有する構成とし、折曲部３１ｃを引戸先端縁に引っ掛けて基準部として用いるようにしてもよい。この場合、折曲部３１ｃの肉厚は、薄いものが好ましい。また、図１２に示す折曲部３１ｃを省略し、延出片３１ｂの左端を引戸先端縁に一致させる基準部とする構成としてもよい。更に、延出片３１ｂや折曲部３１ｃは、板状のものに限らず、線状のものを用いてもよい。
【００６８】
（６）更にまた、上記実施形態では、非吊下式の引戸Ｄにスライドアシスト装置１を適用した場合について説明したが、吊下式の引戸についても適用することができる。
【符号の説明】
【００６９】
Ｄ  引戸
Ｆ  戸枠
Ｆ１  鴨居（上枠）
Ｆ３  縦枠
１  スライドアシスト装置
３  アシスト装置本体
３１  枠体
３１ａ  基準部
３２  引きバネ（弾性部材）
３３  ダンパー部材
３４  スライド部材
５  受け部材
５１  基材
５３  受け突部
７  プレート片
【図１】
0005788156.tif 000002
【図２】
0005788156.tif 000003
【図３】
0005788156.tif 000004
【図４】
0005788156.tif 000005
【図５】
0005788156.tif 000006
【図６】
0005788156.tif 000007
【図７】
0005788156.tif 000008
【図８】
0005788156.tif 000009
【図９】
0005788156.tif 000010
【図１０】
0005788156.tif 000011
【図１１】
0005788156.tif 000012
【図１２】
0005788156.tif 000013